(57)【要約】【課題】紙幣の取忘れが複数回発生しても装置の運用を続けることができるようにする。【解決手段】出金取引時紙幣の取忘れが発生したとき、取忘れ紙幣収納カセット７に既に取忘れ紙幣が収納されている場合、紙幣収納カセット４ｄから出金対象外金種の紙幣を繰出して取忘れ紙幣収納カセット７内の取忘れ紙幣上にセパレータ紙幣として収納した後、前記接客１の紙幣保持部材２取忘れ紙幣を取忘れ紙幣収納カセット７に搬送し、前記セパレータ紙幣上に収納する。【選択図】図１
2010272024.tif 000002
【特許請求の範囲】
【請求項１】
入出金取引時に顧客に対する紙幣の授受を行う接客部と、紙幣を収納する複数の紙幣収納庫と、前記接客部内の紙幣を検知する検知手段と、前記検知手段が検知した取忘れ紙幣を収納する取忘れ紙幣収納庫と、紙幣の金種等の鑑別、金種毎の紙幣の計数を行う鑑別部と、装置動作を制御する制御部を有する自動取引装置であって
前記制御部は、出金取引時あるいは入金取引の紙幣返却時に前記検知手段の紙幣検知により紙幣の取忘れが発生したとき、前記取忘れ紙幣収納庫に既に取忘れ紙幣が収納されている場合、前記複数の紙幣収納庫のうちの１つから紙幣を繰出して前記取忘れ紙幣収納庫内の取忘れ紙幣上にセパレータ紙幣として収納した後、前記接客部から取忘れ紙幣を前記取忘れ紙幣収納庫に搬送して前記セパレータ紙幣上に収納するよう制御することを特徴とする自動取引装置。
【請求項２】
請求項１記載の自動取引装置において、
前記複数の収納庫の少なくとも１つは出金対象の金種の紙幣を収納する第１の紙幣収納庫、残りの収納庫の少なくとも１つは前記出金対象の紙幣と異なる金種の出金対象外の金種の紙幣を収納する第２の紙幣収納庫とし、
前記紙幣の取忘れが発生し、かつ前記取忘れ紙幣収納庫に既に取忘れ紙幣が収納されている場合、前記第２の収納庫から出金対象外の金種の紙幣を繰出して前記取忘れ紙幣収納庫内の取忘れ紙幣上にセパレータ紙幣として収納することを特徴とする自動取引装置。
【請求項３】
請求項２記載の自動取引装置において、
前記紙幣の取忘れが発生し、かつ前記取忘れ紙幣収納庫に既に取忘れ紙幣が収納されている場合で、前記出金対象外の紙幣がないとき、前記取忘れ紙幣収納庫内に収納されている取忘れ紙幣と異なる金種の紙幣を前記第１の紙幣収納庫から繰出して前記取忘れ紙幣収納庫内の取忘れ紙幣上にセパレータ紙幣として収納することを特徴とする自動取引装置。
【請求項４】
請求項２記載の自動取引装置において、
前記第１の収納庫と第２の紙幣収納庫を除く更に残りの紙幣収納庫の少なくとも１つは前記鑑別部が出金には不適と鑑別した損券を収納する損券収納庫とし、
前記紙幣の取忘れが発生し、かつ前記取忘れ紙幣収納庫に既に取忘れ紙幣が収納されている場合で、前記出金対象外の紙幣がないとき、前記損券収納庫から損券を繰出して前記取忘れ紙幣収納庫内の取忘れ紙幣上にセパレータ紙幣として収納することを特徴とする自動取引装置。
【請求項５】
請求項３〜請求項４のいずれか１項に記載の自動取引装置において、
表示部と記憶部を備え、
前記取忘れ紙幣収納庫内に収納した取忘れ紙幣の発生回数、取忘れ紙幣の金種、金種毎の枚数、発生ごとのセパレータ紙幣の金種を取忘れ紙幣情報として前記記憶部に記憶し、この取忘れ紙幣情報を取り忘れ紙幣発生順に並べて前記表示部に表示することを特徴とする自動取引装置。
【発明の詳細な説明】
【技術分野】
【０００１】
本発明は、顧客の操作により現金の入出金処理を行う自動取引装置に関するもので、特に顧客の紙幣の取忘れによる運用の停止を防止することが可能な自動取引装置に関するものである。
【背景技術】
【０００２】
顧客の操作により現金の入出金処理を行う従来の自動取引装置では、例えば出金取引時に紙幣入出金口（接客部）に集積した紙幣を顧客が取忘れた場合、その取忘れ紙幣を紙幣入出金口から繰出して取り忘れ紙幣収納庫に搬送して収納するようにしている（例えば、特許文献１参照）。
【先行技術文献】
【特許文献】
【０００３】
【特許文献１】特開２００８−５２４８６号公報
【発明の概要】
【発明が解決しようとする課題】
【０００４】
しかしながら、上述した従来の技術においては、顧客の紙幣の取忘れが２回発生した場合、２回目の取忘れ紙幣を取り忘れ紙幣収納庫に搬送して収納すると、係員が取忘れ紙幣収納庫から取忘れ紙幣を取出すとき１回目の取忘れ紙幣と２回目の取忘れ紙幣との区別がつかなくなるため、２回目の取忘れ紙幣を紙幣入出金口に集積したまま装置の運用を停止しなければならないという問題がある。
【０００５】
本発明は、このような問題を解決することを課題とする。
【課題を解決するための手段】
【０００６】
そのため、本発明は、入出金取引時に顧客に対する紙幣の授受を行う接客部と、紙幣を収納する複数の紙幣収納庫と、前記接客部内の紙幣を検知する検知手段と、前記検知手段が検知した取忘れ紙幣を収納する取忘れ紙幣収納庫と、紙幣の金種等の鑑別、金種毎の紙幣の計数を行う鑑別部と、装置動作を制御する制御部を有する自動取引装置であって、  前記制御部は、出金取引時あるいは入金取引の紙幣返却時に前記検知手段の紙幣検知により紙幣の取忘れが発生したとき、前記取忘れ紙幣収納庫に既に取忘れ紙幣が収納されている場合、前記複数の紙幣収納庫のうちの１つから紙幣を繰出して前記取忘れ紙幣収納庫内の取忘れ紙幣上にセパレータ紙幣として収納した後、前記接客部から取忘れ紙幣を前記取忘れ紙幣収納庫に搬送して前記セパレータ紙幣上に収納するよう制御することを特徴とする。
【発明の効果】
【０００７】
このようにした本発明は、取忘れ紙幣をセパレータ紙幣で区切って収納することができ、これにより係員が取忘れ紙幣収納庫から取忘れ紙幣を取出すときにそれぞれの取忘れ紙幣を明確に区別できるので、紙幣の取忘れが複数回発生しても装置の運用を続けることができるという効果が得られる。
【図面の簡単な説明】
【０００８】
【図１】第１の実施例における紙幣入出金機の内部構成を示す側面図
【図２】第１の実施例を示すブロック図
【図３】取忘れ紙幣の収納処理手順を示すフローチャート
【図４】取忘れ紙幣の搬送経路を示す側面図
【図５】セパレータ紙幣としての出金対象外紙幣の搬送経路を示す側面図
【図６】取忘れ紙幣収納カセットの紙幣収納状態を示す概念図
【図７】第２の実施例の取忘れ紙幣の収納処理手順を示すフローチャート
【図８】取忘れ紙幣を取出すときの表示画面例を示す図
【図９】第３の実施例の取忘れ紙幣の収納処理手順を示すフローチャート
【図１０】セパレータ紙幣としての損券紙幣の搬送経路を示す側面図
【図１１】取忘れ紙幣返却時の紙幣の搬送経路を示す側面図
【図１２】取忘れ紙幣返却時の紙幣の搬送経路を示す側面図
【発明を実施するための形態】
【０００９】
以下、図面を参照して本発明による自動取引装置の実施例を説明する。
【実施例１】
【００１０】
図１は第１の実施例における紙幣入出金機の内部構成を示す側面図、図２は第１の実施例を示すブロック図である。まず、図２の構成について説明すると、図２において１１は銀行等の金融機関の営業店やコンビニエンスストア等に設置される顧客操作型の自動取引装置(ＡＴＭ)で、この自動取引装置１１は顧客用の操作表示部１２、カード処理機１３、通帳処理機１４、紙幣入出金機１５、硬貨入出金機１６、通信部１７、記憶部１８、及びこれらと接続した制御部１９等を備えている。
【００１１】
操作表示部１２は、液晶ディスプレイ等による表示部と、この表示部上に配置したタッチパネルによる入力部とを備え、表示部に顧客の操作を誘導するメッセージを配した画面や各種の入力キーを表示し、その入力キーを指で入力部を介して押下することにより、入力キーに定義された情報を入力できるものとなっていて、入力された情報の表示等も行うようになっている。
【００１２】
カード処理機１３は、顧客のカードに設けられた磁気ストライプに対して口座情報の読取及び書込みを行う機能を有し、取引終了時には明細票（レシート）に取引内容を印字して顧客に発行する機能を有している。
【００１３】
通帳処理機１４は取引時に顧客が挿入した通帳に取引内容や未記帳データを印字して排出する機能を有している。
【００１４】
紙幣入出金機１５と硬貨入出金機１６は取引に伴う現金（紙幣、硬貨）入出金処理を行うもので、紙幣入出金機１５については後で詳しく説明する。
【００１５】
記憶部１８は、取引時において入力された情報等を記憶する他、装置の動作を制御するための制御プログラムが格納されており、また取引選択画面や各取引における処理ステップ毎の案内画面や入力画面等の画面データもこの記憶部１８に格納されている。
【００１６】
制御部１９は、記憶部１８に格納されている制御プログラムに基づいて操作表示部１２、カード処理機１３、通帳処理機１４、紙幣入出金機１５、硬貨入出金機１６、及び通信部１７等を制御し、各種の取引を遂行する機能を有しており、その遂行に当たっては、通信部１７を介して自行のホストコンピュータ(上位装置)と通信を行い、必要な情報の授受を行うものとなっている。また、制御部１９は図示しないメモリ（記憶部）を有し、必要に応じて各種の情報をメモリに記憶できるようになっている。
【００１７】
次に図１により紙幣入出金機１５について説明する。図１において１は入出金取引時に顧客に対する紙幣の授受を行う接客部で、上部に図示しない入出金口を有し、その入出金口に図示しないシャッターが設けられており、顧客が自動取引装置を操作して取引を行う際はこのシャッターが開閉して入出金口から紙幣の出し入れが可能になるように制御されるものとなっている。また、この接客部１には、前記紙幣取込み口と同側の下部に紙幣の繰出し口を有し、図に向かって左横側（装置の置く側）には紙幣の取込み口が設けられている。
【００１８】
接客部１内には、開口部を有する略コに字形の紙幣保持部材２が配置され、この紙幣保持部材２は顧客が紙幣を投入する際には開口部が前記入出金口に対応するように上を向きかつ紙幣の分離や取込みを行うときは開口部が前記取込み口に対応するように横を向くように角度変化するものとなっていている。
【００１９】
また、接客部１内には、入金取引時に顧客により紙幣保持部材２にセットされた紙幣を１枚ずつ分離して装置内に送り込む分離手段と、顧客に返却する紙幣及び出金取引時に顧客に支払う紙幣等を紙幣保持部材２に取込む取込み手段を有していて、取込み口から紙幣保持部材２に取込んだ紙幣を分離手段で１枚ずつ分離して装置内に送り込むことにより、その紙幣の表裏を反転させることも可能となっている。
【００２０】
更に、接客部１内には、紙幣保持部材２内に保持された紙幣を検知するセンサ（検知手段）が設けられ、このセンサは顧客が取忘れた紙幣も検知するものとなっている。
【００２１】
３は鑑別部で、この鑑別部３は、紙幣の真偽、金種、正損、表裏の鑑別を行うと共に、重送、連鎖、斜行等の搬送異常の検知、及び金種が確定した紙幣の計数を行う機能を有している。
【００２２】
４ａ〜４ｄは紙幣収納カセットで、ここでは４個並べて配置され、紙幣収納カセット４ａ〜４ｄにはそれぞれ上部一端に紙幣の取込み及び繰出し用の開口部が形成されており、各々の開口部には紙幣収納カセット４ａ〜４ｄ内に紙幣を１枚ずつ送り込んで集積させると共に紙幣収納カセット４ａ〜４ｄ内から紙幣を１枚ずつ分離して繰出す複数のローラから成る集積繰出し手段が設けられている。
【００２３】
また、紙幣収納カセット４ａ〜４ｄ内にはそれぞれ昇降可能なステージが設けられており、紙幣収納カセット４ａ〜４ｄ内に収納される紙幣はこのステージ上に集積され、各ステージは紙幣の収納、繰出しに応じて昇降動作するものとなっている。
【００２４】
これらの紙幣収納カセット４ａ〜４ｄのうち、本実施例では紙幣収納カセット４ａ〜４ｃを第１の紙幣収納庫、紙幣収納カセット４ｄを第２の紙幣収納庫とし、例えば紙幣収納カセット４ａ、４ｂを出金対象金種である万円紙幣収納用、紙幣収納カセット４ｃを出金対象金種である千円紙幣収納用、紙幣収納カセット４ｄを入金取引で入金された紙幣のうちの出金（リサイクル）対象外の二千円及び五千円紙幣を収納する二千円及び五千円紙収納用としている。
【００２５】
５は入金取引時及び出金取引時の紙幣の搬送方向における鑑別部３の下流側に配置された一時保留部で、接客部１側の上部に紙幣の収納口と繰出し口を兼ねる収納繰出し口を有していて、一時保留部５内には紙幣の収納と繰出しを行うための複数のローラから成る収納繰出し手段が前記収納繰出し口に対応して設けられている。
【００２６】
この一時保留部５は、入金取引時に鑑別部３で入金可能と鑑別された紙幣を、入金が確定するまで一時保留するために用いられる。
【００２７】
６は紙幣処理装置に対して着脱可能に設けられた補充回収カセットで、この補充回収カセット６は、紙幣収納カセット４ａ〜４ｄに対して紙幣の補充及び該紙幣収納カセット４ａ〜４ｄから紙幣の回収を行うために使用されるものである。
【００２８】
７は出金取引時等に顧客が取り忘れた紙幣を収納する取忘れ紙幣収納カセット（取忘れ紙幣収納庫）、８は入金取引時に鑑別部３で入金可能であるが出金用紙幣として再利用するには不適当な損券と鑑別された紙幣を収納する損券カセット（損券収納庫）、９は出金取引時及び補充回収カセット６への回収時に鑑別部３で金種不明等のリジェクト紙幣と鑑別された紙幣を収納するリジェクトカセットで、これらのカセット７〜９も紙幣処理装置に対して着脱可能に設けられている。
【００２９】
尚、出金対象の紙幣を収納する紙幣収納カセットは、前記３個の紙幣収納カセット４ａ〜４ｃを用いるものとしているが、この数に限られるものではなく、少なくとも１つ備えていればよい。また本発明では、少なくとも１個の出金対象の紙幣を収納する紙幣収納カセットと、前記の出金対象外の紙幣を収納する紙幣収納カセット４ｄ、及び損券カセットをそれぞれ少なくとも１個備える構成であればよい。
【００３０】
１０ａ〜１０ｇは紙幣を搬送する搬送路であり、ここで搬送路１０ａと１０ｂは、接客部１の分離手段から鑑別部３を経由し、コの字を描くように下方に反転して紙幣収納カセット４ａ〜４ｄに対応する各集積繰出し手段に至る入金経路を成し、搬送路１０ｂと１０ｃは紙幣収納カセット４ａ〜４ｄに対応する各集積繰出し手段から鑑別部３を経由して一時保留部５の下側から逆コの字を描くように一時保留部５の上方に反転して接客部１の取込み手段に至る出金経路を成すように設けられており、従って搬送路１０ｂは入金経路と出金経路とで共用されるものとなっている。
【００３１】
また、搬送路１０ｃと搬送路１０ｂは、紙幣の装填・補充時に補充回収カセット６から鑑別部３を経て紙幣収納カセット４ａ〜４ｄに対応する各集積繰出し手段に至る装填・補充経路としても利用されるものとなっており、このような紙幣の搬送経路において、一時保留部５は入金時及び出金時の紙幣の搬送方向における鑑別部３の下流側に配置されており、そして搬送路１０ｄは接客部１の取込み手段の手前で搬送路１０ｃから分岐して一時保留部５の取込み口に至る経路を成すように設けられている。
【００３２】
この搬送路１０ｄは搬送路１０ｃにより搬送されてきた紙幣を反転して一時保留部５の取込み口に送るように配置されている。
【００３３】
また、搬送路１０ｆは搬送路１０ｂから分岐して搬送路１０ｃに合流するバイパス経路を成すように設けられており、搬送路１０ｇは搬送路１０ｂの終端から取り忘れ紙幣収納カセット７、損券カセット８、及びリジェクトカセット９の各紙幣取込み口に至る経路を成すように、更に搬送路１０ｈは搬送路１０ｃの途中から分岐して搬送路１０ｇに合流する経路を成すように設けられている。
【００３４】
これらの搬送路１０ａ〜１０ｇは紙幣の入金、装填・補充時と出金時、返却時とで紙幣を逆の方向に搬送するように駆動制御されるものとなっていて、各搬送路の分岐部や合流部には図示しないブレードが設けられ、紙幣の搬送方向を切り替えるようなっている。
【００３５】
上述した構成による第１の実施例の作用について説明する。
【００３６】
尚、以下に説明する各部の動作は記憶部１８に格納されたプログラム（ソフトウェア）に基づいて制御部１９により制御されるものとし、制御部１９による記憶部１８等からの情報の読出しやそれに基づく制御については必要な場合を除いて省略する。
【００３７】
まず、出金時の動作を説明すると、操作表示部１２に表示された取引選択画面で顧客により出金取引が選択された場合、カードの挿入を促す画面を操作表示部１２に表示させ、これに従って顧客がカード挿入排出口にカードを挿入すると、カードはカード処理機１３内に取込まれ、カードに設けられている磁気ストライプから顧客の口座番号や支店番号等のカードデータが読取られる。
【００３８】
その後、操作表示部１３に表示される画面に従って顧客により暗証番号の入力、出金金種及び出金金額の入力が行われると、制御部１９はその入力された暗証番号と出金金額及びカードデータを通信部１７を介してホストコンピュータに送信し、そしてホストコンピュータから取引を許可する旨の情報を受信すると、制御部１９は紙幣入出金機１５や硬貨入出金機１６に出金金種及び出金金額の情報を送り、出金を指示する。
【００３９】
尚、本発明は紙幣の取忘れに対するものであるので、硬貨入出金機１６の動作は省略する。
【００４０】
紙幣入出金機１５は指定された金種に万円紙幣がある場合、紙幣収納カセット４ａまたは紙幣収納カセット４ｂから集積繰出し手段により紙幣が１枚ずつ繰出されて搬送路１０ｂにより鑑別部３に搬送され、また指定された金種に千円紙幣がある場合、紙幣収納カセット４ｃから集積繰出し手段により紙幣が１枚ずつ繰出されて搬送路１０ｂにより鑑別部３に搬送され、この鑑別部３で紙幣の金種等の鑑別が行われると共に、重送、連鎖、斜行等の搬送異常の検知が行われる。
【００４１】
その結果、金種が確定し、搬送異常も検知されない正常と鑑別された紙幣は計数されて搬送路１０ｃにより接客部１に搬送され、取込み手段により紙幣保持部材２に取込まれて集積される。また、金種不明あるいは搬送異常が検知されてリジェクト紙幣と鑑別された紙幣は搬送路１０ｂ、搬送路１０ｇ、及び搬送路１０ｆによりリジェクトカセット９に搬送され、取込み手段により取込まれる。
【００４２】
このような処理が繰り返され、接客部１の紙幣保持部材２に指定枚数の万円紙幣と千円紙幣が集積されて揃うと、紙幣保持部材２はその開口部が上方を向くように角度変化し、シャッターが開いて紙幣が顧客に支払われ、紙幣が取り出されたことを図示しないセンサが検知するとシャッターは閉じられる。
【００４３】
カードは紙幣の支払いの前あるいは後にカード挿入排出口から排出されて顧客に返却される。また、紙幣の計数、集積が行われている間に通帳に対する取引内容の印字が通帳処理機１４で行われ、紙幣の支払いの前あるいは後に通帳挿入排出口から排出されて顧客に返却される。
【００４４】
このようにして紙幣の出金が行われるが、前記のように接客部１の紙幣保持部材２に指定枚数の万円紙幣と千円紙幣が集積されて揃い、紙幣保持部材２がその開口部が上方を向くように角度変化して、シャッターが開いた後、予め定められた時間が経過しても顧客により紙幣が取出されない場合、つまりセンサが紙幣を検知している場合、制御部１９は紙幣の取忘れが発生したものと判断して、その取忘れ紙幣の収納処理を行う。
【００４５】
図３は取忘れ紙幣の収納処理手順を示すフローチャート、図４は紙幣入出金機における取忘れ紙幣の搬送経路を示す側面図、図５は紙幣入出金機におけるセパレータ紙幣としての出金対象外紙幣の搬送経路を示す側面図で、以下取忘れ紙幣の収納処理について図３にＳで示したステップに従って説明する。
【００４６】
前記のように制御部１９は紙幣の取忘れが発生したものと判断した場合、紙幣入出金機１５は制御部１９の指示により接客部１のシャッターを閉じて紙幣保持部材２の開口部が前記取込み口側に向くように角度変化させ、そして制御部１９は取忘れ紙幣収納カセット７内に紙幣が収納されているか否かを判断する（Ｓ１）。
【００４７】
この場合、取忘れ紙幣収納カセット７内に紙幣が収納されているか否かの判断は、取忘れ紙幣収納カセット７に紙幣検知用のセンサを設けて、そのセンサが紙幣を検知しているか否かにより判断することが可能であるが、取忘れ紙幣収納カセット７内に紙幣を収納したとき、その情報を制御部１９のメモリあるいは記憶部１８記憶しておくことで、その情報の有無により判断することもできる。
【００４８】
取忘れ紙幣収納カセット７内に紙幣が収納されていない場合、図４に示したように紙幣保持部材２から紙幣を分離手段で１枚ずつ分離し、搬送路１０ａにより鑑別部３に搬送して金種の鑑別、金種毎の計数を行った後、搬送路１０ｂ、１０ｆにより取忘れ紙幣収納カセット７に搬送して収納する（Ｓ５）。
【００４９】
鑑別部３で鑑別、計数された金種と金種毎の計数枚数は制御部１９に送られ、制御部１９のメモリまたは記憶部１８に１回目の取忘れ紙幣情報として記憶する（Ｓ６）。
【００５０】
一方、前記Ｓ１で取忘れ紙幣収納カセット７内に紙幣が既に収納されていると判断した場合、図５に示したように紙幣収納カセット４ｄから出金対象外の金種（二千円または五千円）の紙幣を集積繰出し手段により１枚繰出し、搬送路１０ｂにより鑑別部３に搬送して金種の鑑別を行い（Ｓ２）、鑑別部３は鑑別した紙幣の金種を制御部１９に通知する（Ｓ３）。
【００５１】
金種鑑別された出金対象外の金種の紙幣は搬送路１０ｃ、１０ｇ、１０ｆにより取忘れ紙幣収納カセット７に搬送して収納する（Ｓ４）。この場合、収納された出金対象外の金種の紙幣は既に取忘れ紙幣収納カセット７内に紙幣が収納されている取忘れ紙幣の上に区切り用のセパレータ紙幣として集積される。
【００５２】
その後、図４に示したように紙幣保持部材２から取忘れ紙幣を分離手段で１枚ずつ分離し、搬送路１０ａにより鑑別部３に搬送して金種鑑別、金種毎の計数を行った後、搬送路１０ｂ、１０ｆにより取忘れ紙幣収納カセット７に搬送して収納する（Ｓ５）が、この場合、取忘れ紙幣はセパレータ紙幣の上に集積される。
【００５３】
また、この場合も鑑別部３で鑑別、計数された金種と金種毎の計数枚数は制御部１９に送られ、制御部１９のメモリあるいは記憶部１８に何回目かという取忘れ回数と共に取忘れ紙幣の金種と金種毎の枚数及びセパレータ紙幣の金種を取忘れ紙幣情報として記憶する（Ｓ６）。
【００５４】
図６は取忘れ紙幣収納カセットの紙幣収納状態を示す概念図で、この図に示したように取忘れ紙幣収納カセット７内に取忘れ紙幣を例えば４回収納した場合、１回目と２回目の取忘れ紙幣の間、２回目と３回目の取忘れ紙幣の間、３回目と４回目の取忘れ紙幣の間にそれぞれ出金対象外の紙幣（セパレータ紙幣）が挟み込まれるため、それぞれの回数の取忘れ紙幣を区別することができる。
【００５５】
以上説明したように、第１の実施例によれば、取忘れ紙幣を出金対象外の紙幣をセパレータ紙幣として区切って収納することができ、これにより係員が装置の図示しない背面扉を開いて取忘れ紙幣収納カセットから取忘れ紙幣を取出すときにそれぞれの取忘れ紙幣を明確に区別できるので、紙幣の取忘れが複数回発生しても装置の運用を続けることができるという効果が得られる。
【実施例２】
【００５６】
次に第２の実施例について説明する。この第２の実施例の構成は第１の実施例と同様であり、また取忘れが発生するまでの動作も第１の実施例と同様であるものでそれらの説明は省略し、取忘れ紙幣の収納処理についてのみ説明する。
【００５７】
図７は第２の実施例の取忘れ紙幣の収納処理手順を示すフローチャートで、以下取忘れ紙幣の収納処理について図中にＳで示したステップに従って説明する。
【００５８】
制御部１９は紙幣の取忘れが発生したものと判断した場合、紙幣入出金機１５は制御部１９の指示により接客部１のシャッターを閉じて紙幣保持部材２の開口部が前記取込み口側に向くように角度変化させ、そして制御部１９は取忘れ紙幣収納カセット７内に紙幣が収納されているか否かを判断する（Ｓ１１）。
【００５９】
この場合、取忘れ紙幣収納カセット７内に紙幣が収納されているか否かの判断は、第１の実施例と同様に行われる。
【００６０】
取忘れ紙幣収納カセット７内に紙幣が収納されていない場合、図４に示したように紙幣保持部材２から紙幣を分離手段で１枚ずつ分離し、搬送路１０ａにより鑑別部３に搬送して金種の鑑別、金種毎の計数を行った後、搬送路１０ｂ、１０ｆにより取忘れ紙幣収納カセット７に搬送して収納する（Ｓ１７）。
【００６１】
鑑別部３で鑑別、計数された金種と金種毎の計数枚数は制御部１９に送られ、制御部１９のメモリまたは記憶部１８に１回目の取忘れ紙幣情報として記憶する（Ｓ１８）。
【００６２】
一方、前記Ｓ１１で取忘れ紙幣収納カセット７内に紙幣が既に収納されていると判断した場合、制御部１９は紙幣収納カセット４ｄ内に紙幣が収納されているかどうかを判断し（Ｓ１２）、紙幣が収納されていると判断した場合は、第１の実施例と同様に取忘れ紙幣収納カセット７への取忘れ紙幣の収納処理を行い取忘れ紙幣情報を制御部１９のメモリまたは記憶部１８に記憶する（Ｓ１３）。
【００６３】
この場合、紙幣収納カセット４ｄ内に紙幣が収納されているか否かの判断は、紙幣収納カセット４ｄに紙幣検知用のセンサを設けて、そのセンサが紙幣を検知しているか否かにより判断することが可能であるが、取忘れ紙幣収納カセット７内に紙幣を収納したとき、その情報を制御部１９のメモリあるいは記憶部１８記憶しておくことで、その情報の有無により判断することもできる。
【００６４】
前記Ｓ１２で紙幣収納カセット４ｄ内に紙幣が収納されていないと判断した場合、続いて制御部１９はメモリあるいは記憶部１８記憶されている前回の取忘れ紙幣情報を参照して前回の取忘れ紙幣と異なる金種の紙幣を認識し、その金種の紙幣の取忘れ紙幣収納カセット７への移動を紙幣入出金機１５指示する。この指示により紙幣入出金機１５は紙幣収納カセット４ａ〜４ｃのいずれかから該当金種の紙幣を集積繰出し手段により１枚繰出し、搬送路１０ｂにより鑑別部３に搬送して金種の鑑別を行い（Ｓ１４）、鑑別部３は鑑別した紙幣の金種を制御部１９に通知する（Ｓ１５）。
【００６５】
金種鑑別された紙幣は搬送路１０ｂ、１０ｇ、１０ｆにより取忘れ紙幣収納カセット７に搬送して収納する（Ｓ１６）。この場合、収納された紙幣は既に取忘れ紙幣収納カセット７内に紙幣が収納されている取忘れ紙幣の上に区切り用のセパレータ紙幣として集積される。
【００６６】
その後、図４に示したように紙幣保持部材２から取忘れ紙幣を分離手段で１枚ずつ分離し、搬送路１０ａにより鑑別部３に搬送して金種鑑別、金種毎の計数を行った後、搬送路１０ｃ、１０ｇ、１０ｆにより取忘れ紙幣収納カセット７に搬送して収納する（Ｓ１７）が、この場合、取忘れ紙幣はセパレータ紙幣の上に集積される。
【００６７】
また、この場合も鑑別部３で鑑別、計数された金種と金種毎の計数枚数は制御部１９に送られ、制御部１９のメモリまたは記憶部１８に何回目かという取忘れ回数と共に取忘れ紙幣の金種と金種毎の枚数及びセパレータ紙幣の金種を取忘れ紙幣情報として記憶する（Ｓ１８）。
【００６８】
以上説明したように、第２の実施例によれば、出金対象外の紙幣がない場合、取忘れ紙幣と異なる金種のセパレータ紙幣で区切って収納するため、これにより係員が装置の図示しない背面扉を開いて取忘れ紙幣収納カセットから取忘れ紙幣を取出すときにそれぞれの取忘れ紙幣を区別できるので、紙幣の取忘れが複数回発生しても装置の運用を続けることができるという効果が得られる。
【００６９】
尚、出金取引では万円と千円の２種の紙幣を同時に出金することがあるので、その場合は前回の取忘れ紙幣のうち、一番上に集積された紙幣と異なる金種の紙幣をセパレータ紙幣とすることで、紙幣の取忘れが複数回発生しても各々の取忘れ紙幣を区別することが可能となるが、この場合次の取忘れ紙幣が発生したとき、セパレータ紙幣上に重なるその取忘れ紙幣の一番下の紙幣がセパレータ紙幣と同一の金種になることが考えられるので、係員が取忘れ紙幣収納カセットから取忘れ紙幣を取出すとき、装置の背面扉に設けられている表示部に取忘れ紙幣の内容を表示するものとする。
【００７０】
図８は取忘れ紙幣を取出すときの表示画面例を示す図で、この図に示したように取忘れ紙幣収納カセットから取忘れ紙幣を取出すとき、取忘れ紙幣の発生順位と発生毎の取忘れ紙幣の金種、セパレータ紙幣の金種、合計枚数等を例えば縦に並べて表示する。この例では、１回目の取忘れ紙幣が千円紙幣と万円紙幣で一番上の紙幣が万円のとき、その万円紙幣の上に千円紙幣を１回目のセパレータ紙幣として集積し、２回目の取忘れ紙幣がすべて千円紙幣のとき一番上の千円紙幣の上に万円紙幣を２回目セパレータ紙幣として集積した状態を示しており、このような表示を行うことで１回目のセパレータ紙幣上に同一金種の紙幣２回目の取忘れ紙幣として集積され場合でも係員にセパレータ紙幣と取忘れ紙幣とを認識させることができる。この場合、予め口座番号、取引日時、取引種類等も取忘れ紙幣情報として制御部のメモリあるいは記憶部に記憶しておき、これら口座番号、取引日時、取引種類等も合わせて表示するようにしてもよい。
【００７１】
また、この第２の実施例では、出金対象である万円と千円の紙幣をセパレータ紙幣として用いるので、出金対象外の紙幣のみを収納する専用の紙幣収納カセットを省略し、出金対象外の紙幣を例えば損券カセットに収納するタイプの自動取引装置に適用することも可能である。
【実施例３】
【００７２】
次に第３の実施例について説明する。この実施例は入金取引時に損券カセット８に収納された損券をセパレータ紙幣として利用するもので、そのため損券カセット８に繰出し手段を設けている。この他の構成は第１の実施例と同様であり、また取り忘れが発生するまでの動作も第１の実施例と同様であるものでそれらの説明は省略し、取り忘れ紙幣の収納処理についてのみ説明する。
【００７３】
図９は第３の実施例の取忘れ紙幣の収納処理手順を示すフローチャートで、図１０は紙幣入出金機におけるセパレータ紙幣としての損券紙幣の搬送経路を示す側面図で、以下取忘れ紙幣の収納処理について図９にＳで示したステップに従って説明する。
【００７４】
制御部１９は紙幣の取忘れが発生したものと判断した場合、紙幣入出金機１５は制御部１９の指示により接客部１のシャッターを閉じて紙幣保持部材２の開口部が前記取込み口側に向くように角度変化させ、そして制御部１９は取忘れ紙幣収納カセット７内に紙幣が収納されているか否かを判断する（Ｓ２１）。
【００７５】
この場合の判断も第１の実施例と同様に行われる。
【００７６】
取忘れ紙幣収納カセット７内に紙幣が収納されていない場合、図４に示したように紙幣保持部材２から紙幣を分離手段で１枚ずつ分離し、搬送路１０ａにより鑑別部３に搬送して金種の鑑別、金種毎の計数を行った後、搬送路１０ｂ、１０ｆにより取忘れ紙幣収納カセット７に搬送して収納する（Ｓ２８）。
【００７７】
鑑別部３で鑑別、計数された金種と金種毎の計数枚数は制御部１９に送られ、制御部１９のメモリまたは記憶部１８に１回目の取忘れ紙幣情報として記憶する（Ｓ２９）。
【００７８】
一方、前記Ｓ２１で取忘れ紙幣収納カセット７内に紙幣が既に収納されていると判断した場合、制御部１９は紙幣収納カセット４ｄ内に紙幣が収納されているかどうかを判断し（Ｓ２２）、紙幣が収納されていると判断した場合は、第１の実施例と同様に取忘れ紙幣収納カセット７への取忘れ紙幣の収納処理を行い取忘れ紙幣情報を制御部１９のメモリまたは記憶部１８に記憶する（Ｓ２３）。
【００７９】
この場合、紙幣収納カセット４ｄ内に紙幣が収納されているか否かの判断は、第２の実施例と同様に行う。
【００８０】
前記Ｓ２２で紙幣収納カセット４ｄ内に紙幣が収納されていないと判断した場合、続いて制御部１９は損券カセット８内に損券の紙幣が収納されているかどうかを判断し（Ｓ２２）、収納されていないと判断した場合は装置の運用を停止すると共に、操作表示部１２に運用中止の旨のメッセージを表示して、係員による復旧を待つ。
【００８１】
損券カセット８内に損券の紙幣が収納されていると判断した場合は、損券紙幣の取忘れ紙幣収納カセット７への移動を紙幣入出金機１５に指示する。この指示により紙幣入出金機１５は図１０に示したように損券カセット８から該当金種の紙幣を繰出し手段により１枚繰出し、搬送路１０ｇ、１０ｂにより鑑別部３に搬送して金種の鑑別を行い（Ｓ２５）、鑑別部３は鑑別した紙幣の金種を制御部１９に通知する（Ｓ２６）。
【００８２】
金種鑑別された紙幣は搬送路１０ｂ、１０ｆにより取忘れ紙幣収納カセット７に搬送して収納する（Ｓ２７）。この場合、収納された損券紙幣は既に取忘れ紙幣収納カセット７内に紙幣が収納されている取忘れ紙幣の上に区切り用のセパレータ紙幣として集積される。
【００８３】
その後、図４に示したように紙幣保持部材２から取忘れ紙幣を分離手段で１枚ずつ分離し、搬送路１０ａにより鑑別部３に搬送して金種鑑別、金種毎の計数を行った後、搬送路１０ｂ、１０ｆにより取忘れ紙幣収納カセット７に搬送して収納する（Ｓ２８）が、この場合、取忘れ紙幣はセパレータ紙幣の上に集積される。
【００８４】
また、この場合も鑑別部３で鑑別、計数された金種と金種毎の計数枚数は制御部１９に送られ、制御部１９のメモリあるいは記憶部１８に何回目かという取忘れ回数と共に取忘れ紙幣の金種と金種毎の枚数及びセパレータ紙幣の金種を取忘れ紙幣情報として記憶する（Ｓ２９）。
【００８５】
以上説明したように、第３の実施例によれば、出金対象外の紙幣がない場合、損券によるセパレータ紙幣で区切って収納するため、これにより係員が装置の図示しない背面扉を開いて取忘れ紙幣収納カセットから取忘れ紙幣を取出すときにそれぞれの取忘れ紙幣を区別できるので、紙幣の取忘れが複数回発生しても装置の運用を続けることができるという効果が得られる。
【００８６】
尚、損券は装置で受け入れるすべての金種の紙幣が該当するので、出金対象外の紙幣をセパレータ紙幣として用いることができる。その場合、取忘れ金種と同一の金種の損券紙幣が鑑別部３で鑑別された場合，その損券は一時保留部５に一時保留し、出金対象外の紙幣をセパレータ紙幣として取忘れ紙幣収納カセット７に収納してから取忘れ紙幣を取忘れ紙幣収納カセット７に収納した後、一時保留部５に一時保留した損券を損券カセット８に戻すようにすればよい。
【００８７】
また、損券カセット８に収納した紙幣の金種を制御部１９のメモリあるいは記憶部１８に記憶させておけば、制御部１９は出金対象外の紙幣が損券カセット８内にあるかどうかを判断できるので、出金対象外の紙幣が損券カセット８内にない場合、出金対象の紙幣をセパレータ紙幣として第２の実施例と同様に取忘れ紙幣の収納処理を行うことができるが、この場合もセパレータ紙幣上に重なるその取忘れ紙幣の一番下の紙幣がセパレータ紙幣と同一の金種になることが考えられるので、第２の実施例と同様に係員が取忘れ紙幣収納カセットから取忘れ紙幣を取出すとき、装置の背面扉に設けられている表示部に取忘れ紙幣の内容を表示するようにすればよい。
【００８８】
更に、この第３の実施例では、損券紙幣をセパレータ紙幣として用いるので、出金対象外の紙幣のみを収納する専用の紙幣収納カセットを省略し、出金対象外の紙幣を例えば損券カセットに収納するタイプの自動取引装置に適用することも可能である。
【００８９】
尚、上述した実施例では、出金取引時に顧客が紙幣を取忘れたときの取忘れ紙幣の収納処理について説明したが、入金取引時に顧客が返却を要求した紙幣を取忘れた場合にも適用可能である。
【００９０】
入金取引時においては、接客部１の紙幣保持部材２内に投入した紙幣を鑑別部３で鑑別、計数した後、一時保留部５に一時保留し、すべてに紙幣を一時保留した後、計数結果を確認画面として操作表示部１２に表示して顧客に確認させるが、このとき確認画面中の取消ボタンを押下した場合、顧客が紙幣の返却を要求したものとして、一時保留部５から紙幣を紙幣保持部材２内に戻して顧客に紙幣を返却するが、その際顧客が紙幣を取忘れた場合、第１〜第３の実施例のいずれかの方法により取忘れ紙幣の収納処理することができ、同様の効果が得られる。
【００９１】
また、取忘れ紙幣収納カセット７に収納した取忘れ紙幣を顧客の要求に応じて自動返却することも可能である。この場合、取忘れ紙幣収納カセット７に紙幣の繰出し手段を設けておき、また取忘れ紙幣情報として何回目かという取忘れ回数、取忘れ紙幣の金種と金種毎の枚数、セパレータ紙幣の金種、顧客の口座番号、取引日時、取引種類等を制御部１９のメモリあるいは記憶部１８に記憶し、そして操作表示部１２の取引選択画面で例えば顧客が取忘れ紙幣の返却を選択できるようにいておく。
【００９２】
図１１及び図１２は取忘れ紙幣返却時の紙幣の搬送経路を示す側面図で、まず顧客が取忘れ紙幣の返却を選択した場合、顧客に口座番号（カードからの読み取りでも可）、取忘れたときの取引日時、取引種類、暗証番号を入力させ、その口座番号と暗証番号をホストコンピュータに送って本人確認をした後、ホストコンピュータから返却の許可が返信された場合、制御部１９が前記顧客に口座番号、取引日時、取引種類をもとにメモリあるいは記憶部１８に記憶されている取忘れ紙幣情報のうちの該当情報を検索する。
【００９３】
そして該当する取忘れ紙幣情報存在した場合、図１１に示したように取忘れ紙幣収納カセット７から繰出し手段により取忘れ紙幣を繰出して搬送路１０ｆ、１０ｂにより鑑別部３に搬送し、金種の鑑別、金種毎の計数を行う。その鑑別、計数結果から返却を要求した顧客の取忘れ紙幣に該当しない紙幣は搬送路１０ｃ、１０ｄにより一時保留部５に搬送して一時保留し、返却を要求した顧客の取忘れ紙幣に該当する紙幣のみを搬送路１０ｃにより接客部１に搬送して紙幣保持部材２内に集積する。
【００９４】
この場合、返却を要求した顧客の取忘れ紙幣上下に集積されていたセパレータ紙幣を鑑別部が鑑別することで、顧客の取忘れ紙幣に該当する紙幣のみを接客部１に搬送して紙幣保持部材２内に集積することができる。
【００９５】
こうして顧客の取忘れ紙幣をすべて紙幣保持部材２内に集積した後、その金種及び枚数を操作表示部１２に表示し、顧客に確認させて紙幣保持部材２内に集積されている取忘れ紙幣を顧客に返却する。その後、図１２に示したように一時保留部５に一時保留した取忘れ紙幣及びセパレータ紙幣を収納繰出し手段により繰出し搬送路１０ｃ、１０ｂ、１０ｆにより取忘れ紙幣収納カセット７に搬送して収納する。
【００９６】
但し、顧客に返却した取忘れ紙幣とその前の回の取忘れ紙幣を区切っていたセパレータ紙幣は、そのセパレータ紙幣を繰出したカセットに戻すようにする。すなわちそのセパレータ紙幣が正常な万円紙幣であれば紙幣収納カセット４ａまたは４ｂに、正常な千円紙幣であれば紙幣収納カセット４ｃに、正常な五千円または二千円紙幣であれば紙幣収納カセット４ｄに、損券であれば損券カセット８に戻すようにする。
【００９７】
尚、上述した各実施例では、紙幣を水平な姿勢で垂直方向に集積する装置について説明したが、紙幣を垂直な立位姿勢で水平方向に集積する装置にも適用できることはいうまでもない。
【符号の説明】
【００９８】
１    接客部
２    紙幣保持部材
３    鑑別部
４ａ〜４ｄ  紙幣収納カセット
５    一時保留部
６    補充回収カセット
７    取忘れ紙幣収納カセット
８    損券カセット
９    リジェクトカセット
１０ａ〜１０ｆ  搬送路
１１  自動取引装置
１２  操作表示部
１３  カード処理機
１４  通帳処理機
１５  紙幣入出金機
１６  硬貨入出金機
１７  通信部
１８  記憶部
１９  制御部
【図１】
2010272024.tif 000003
【図２】
2010272024.tif 000004
【図３】
2010272024.tif 000005
【図４】
2010272024.tif 000006
【図５】
2010272024.tif 000007
【図６】
2010272024.tif 000008
【図７】
2010272024.tif 000009
【図８】
2010272024.tif 000010
【図９】
2010272024.tif 000011
【図１０】
2010272024.tif 000012
【図１１】
2010272024.tif 000013
【図１２】
2010272024.tif 000014